(57)【要約】      （修正有）【課題】放熱効果が高く、長寿命なＬＥＤ照明灯を提供する。【解決手段】ＬＥＤ用電源基板が内蔵された照明灯本体に、通電によりそれぞれ発光する多数個のＬＥＤ体７を備える。細長のプリント基板８の表面に、その長手方向に沿って多数個のＬＥＤ体７が実装されるとともに、これら多数個のＬＥＤ体７を覆う透明のカバー体９が備わってなり、これらプリント基板８とカバー体９は保持体によって照明灯本体の長手方向の両端に設けられた支え部材６に前記プリント基板８の長手方向に沿った軸線周りに揺動自在で、かつ、任意の揺動位置で位置保持可能に保持されるている。保持体のプリント基板８とカバー体９を保持する部位がアルミニウム又はアルミニウム合金で構成される。【選択図】図１
0003169012.tif 000002
【実用新案登録請求の範囲】
【請求項１】
ＬＥＤ用電源基板を含む電子部品が内蔵された照明灯本体に、通電によりそれぞれ発光する多数個のＬＥＤ体を備えたＬＥＤ照明灯において、細長のプリント基板の表面に、その長手方向に沿って多数個のＬＥＤ体が実装されるとともに、これら多数個のＬＥＤ体を覆う透明のカバー体が備わり、これらプリント基板とカバー体は保持体によって照明灯本体の長手方向の両端に設けられた支え部材に前記プリント基板の長手方向に沿った軸線周りに揺動自在で、かつ、任意の揺動位置で位置保持可能に保持されるているとともに、この保持体のプリント基板とカバー体を保持する部位がアルミニウム又はアルミニウム合金で構成されていることを特徴とするＬＥＤ照明灯。
【請求項２】
保持体はプリント基板の長手方向に沿った長尺で、底壁の左右両縁から上方へ一体に側壁が立ち上がり、上部と長手方向の両端が開放された凹形状を呈し、前記左右側壁の上縁は保持体の内側に直角に折れ曲がる内向きフランジを備え、また、左右側壁の上下中間部には中底が、左右の側壁の内面に一体に連なって設けられた保持体本体を備え、前記中底の上面から前記内向きフランジの下面迄の上下寸法が、前記プリント基板の上下の肉厚と、前記カバー体の左右縁の上下寸法を合算した寸法とほぼ同等の寸法に設定され、前記内向きフランジと中底の間にはプリント基板とカバー体がそれらの左右辺縁が挟持さて嵌入可能に構成されている請求項１記載のＬＥＤ照明灯。
【請求項３】
保持体本体と照明灯本体の上壁との間にはこのプリント基板の揺動を許すに足る隙間が存在するように構成されている請求項１〜２のいずれかに記載のＬＥＤ照明灯。
【請求項４】
プリント基板の下面全域はアルミニウム又はアルミニウム合金層が形成されて成る請求項１〜３のいずれかに記載のＬＥＤ照明灯。
【考案の詳細な説明】
【技術分野】
【０００１】
この考案は、通電することによって、それぞれ発光する多数個のＬＥＤ体、つまり発光ダイオードを備えたＬＥＤ照明灯に関する。
【背景技術】
【０００２】
従来の一般的な照明灯は蛍光灯で、円筒形のガラス管と、熱電子放射性物質が塗布されてこのガラス管の両端内部に設けらたたコイル状の電極フィラメントと、ガラス管の両端に固定された一対の口金と、これら口金の外側面にそれぞれ固定された２組の電極ピンとを備えている。また、ガラス管内には水銀やアルゴンガスが封入されると共に、ガラス管の内壁に蛍光塗料が塗布されている。
【０００３】
また、例えば、主としてショーウィンドーや陳列棚等の比較的狭いスペースに用いられ、瞬時に点灯させる、所謂スリムライン形ランプと称される種類のものがある。このスリムライン形ランプは、電極を余熱しないで冷陰極状態のまま高電圧によって瞬時に放電させる構造になっている。
【０００４】
また、近年ＬＥＤ体を用いた照明灯が提案されたり、市販されるようになってきている。このものは、種々の形態があるが、一般的には、上面に多数のＬＥＤ体を、また、裏面に点灯回路の電源用や各種電子部品を実装しプリント基板を光透過性と保形性を備えたガラスや樹脂製の管内に収納固定したものである（特許文献１、２参照）。
【考案の概要】
【考案が解決しようとする課題】
【０００５】
ところで、従来の蛍光灯或いはスリムライン型ランプは、ガラス管の両端に口金が存在しているためにこの部分が暗くなり、照明効果が劣る上に、寿命も短く、結果としてコストパフォーマンスが悪い。更には明るさの点でＬＥＤ照明灯に劣り、望ましい照明効果を期待できない。
【０００６】
また、従来のＬＥＤ体を用いた照明灯はカバー体が透明であるために、外観上、ＬＥＤ体の一つ一つが点として明確に認識されて、点の列として認識される。合わせて、ＬＥＤ体の光が直接に目に入ると大変眩しいく感じられる。更に、この眩しさを防止するために、カバー体に乳白色の塗料を塗布するやり方もある。しかし、この場合は眩さと点の列は認識できなくなる反面、光束（ｌｍ）が低下する。光の飛距離も短くなる。また、ＬＥＤ体を実装するプリント基板が照明灯本体の上壁に固定され、この照明灯本体も陳列棚などに固定的にセットされる場合には、光の照射方向は常に一方向に限定される。つまり、光を当てる位置が一方向だけであるから、一旦ショーウィンドー等に取り付けてしまうと、照射方向の変更は、一度取り外し、出射方向を変えた姿勢にして再度取り付ける以外には不可能である。その結果、多彩な照明効果が期待できない。
【０００７】
そこで、本考案者は、先ず第一に、光束の低下を招くことなく、眩しさを軽減し、併せて点の連続となるＬＥＤ体の光の列を出来るだけ一本の直線となるように、見栄え良い形態にすること。また、第２に、ＬＥＤ体が発する照射光の照射方向を、本体の取り付け姿勢にかかわりなく自在に変更できるようにすること。更に、第３に、ＬＥＤ照明灯の寿命を延ばすことできるようにすることを目的として、新しいＬＥＤ照明灯を開発して、これを提案した（特願２０１０−７６０８参照）。
【０００８】
そして、本考案は、本考案者が先に提案したこの発明を発展的に改良するもので、主た
る目的は、ＬＥＤ照明灯の放熱効果を一層高めて、その寿命を延ばすことである。
【課題を解決するための手段】
【０００９】
この技術的な課題を解決するために、この考案に係るＬＥＤ照明灯は、請求項１に記載のように、ＬＥＤ用電源基板を含む電子部品が内蔵された照明灯本体に、通電によりそれぞれ発光する多数個のＬＥＤ体を備えたＬＥＤ照明灯において、細長のプリント基板の表面に、その長手方向に沿って多数個のＬＥＤ体が実装されるとともに、これら多数個のＬＥＤ体を覆う透明のカバー体が備わり、これらプリント基板とカバー体は保持体によって照明灯本体の長手方向の両端に設けられた支え部材に前記プリント基板の長手方向に沿った軸線周りに揺動自在で、かつ、任意の揺動位置で位置保持可能に保持されるているとともに、この保持体のプリント基板とカバー体を保持する部位がアルミニウム又はアルミニウム合金で構成されている。
【００１０】
以上の構成によるＬＥＤ照明灯においては、ＬＥＤ体によって低電流で比較的高い輝度の光を出射できるので、長寿命化と消費電力の低減化を図ることができる。
また、ＬＥＤ体を実装したプリント基板が照明灯本体に対して揺動自在に保持されているので、照明灯本体は陳列棚などに固定的にセットされるが、セットされた後においてもプリント基板の向き、つまりはＬＥＤ体の向きを自在に変更でき、しかも変更後の位置をしっかりと保つことができる。殊に、ＬＥＤ体から出射される高い輝度の光は透明なカバー体を介して外方へ出射されるが、カバー体を通過する際にその内表面で乱反射しながら外部へ出射される。また、従来のスリムライン形ランプ（冷陰極形の蛍光灯）のように口金を必要とすることなく、照明灯のほぼ全長にわたってＬＥＤ体を実装できる。しかも、アルミニウムを素材にして構成されている保持体本体からは高い放熱作用が得られる。
【考案の効果】
【００１１】
従って、この考案の請求項１記載のＬＥＤ照明灯は、従来の蛍光灯やスリムライン形ランプ（冷陰極形の蛍光灯）のように口金を必要としないので、照明灯両端に暗い部分が生じない。その結果、照明効果を上げ、また寿命も長く、結果としてコストパフォーマンスが良くなる。また、従来のＬＥＤ照明灯のようにＬＥＤ体を実装するプリント基板が照明灯本体の上壁に固定されるのではなく、自在に向きを変えることができ、ＬＥＤ体の出射方向を変更できる。その結果、照明灯本体は陳列棚などに固定的にセットされるが、光の照射方向は自在に変更でき、多彩な照明効果を期待できる。また、プリント基板を照明灯上壁に直に配置するものと比べて、プリント基板はこの照明灯の上壁から離間することになるので、電源部、つまり照明灯本体内にあるＬＥＤ電源基板部分からの発熱を直には受けることが少なく、長寿命化に貢献する。更には、従来のＬＥＤ照明灯と違って、カバー体から出射される光は、カバー体内面で乱反射してからカバー体外部へ出射され、しかもバー体は透明であるから、光束（ｌｍ）を低下させることが少なく、眩しさを可及的に押さえることができる。しかも、電源をオフにした不使用時においても、外部の光、例えば太陽光や他の光源からの光がカバー体で乱反射し、カバー表面は銀色になり、併せて内部のＬＥＤ体も見え難く、美観を保つことができる。しかも、保持本体はアルミニウムを素材にして構成されるから、従来品の照明灯本体にプリント基板を直付けした形式のものと違って、ＬＥＤ体７やプリント基板８を早期の内に痛めてしまう欠点が解消され、長寿命化に貢献する。
【００１２】
また、この考案に係るＬＥＤ照明灯は、請求項２に記載されるように、保持体はプリント基板の長手方向に沿った長尺で、底壁の左右両縁から上方へ一体に側壁が立ち上がり、上部と長手方向の両端が開放された凹形状を呈し、前記左右側壁の上縁は保持体の内側に直角に折れ曲がる内向きフランジを備え、また、左右側壁の上下中間部には中底が、左右の側壁の内面に一体に連なって設けられた保持体本体を備え、前記中底の上面から前記内向きフランジの下面迄の上下寸法が、前記プリント基板の上下の肉厚と、前記カバー体の
左右縁の上下寸法を合算した寸法とほぼ同等の寸法に設定され、前記内向きフランジと中底の間にはプリント基板とカバー体がそれらの左右辺縁が挟持さて嵌入可能に構成されるのが望ましい。
【００１３】
保持体に対するプリント基板、カバー体の取り付けが、保持体本体に設けられた中底と内向きフランジの間への嵌入作業で行われ、併せて、保持体本体一つでプリント基板とカバー体の保持を担い、また、プリント基板の下面全域を覆うことになるので、加工、組み付け作業が簡単で廉価に提供でき、しかも安全面上、また、プリント基板の保護上有利で、強度も保つことができるからである。
【００１４】
また、この考案に係るＬＥＤ照明灯は、請求項３に記載されるように、プリント基板下面若しくは保持体の保持体本体と照明灯本体の上壁との間にはこのプリント基板の揺動を許すに足る隙間が存在するように構成されるのが望ましい。
【００１５】
照明灯本体の上壁とプリント基板の下面との間に隙間が形成されることで、空気の流れをプリント基板の下に形成できる。その結果、前記照明灯本体内に収納してあるＬＥＤ用電源基板が発する熱をこのプリント基板に直に与えてしまうおそれが少なく、プリント基板上のＬＥＤ体に対するこの熱によるダメージを可及的に低減でき、併せて保持体本体の放熱効果も可及的に高めることができ、長寿命化を図れるからである。
【００１６】
更に、この考案に係るＬＥＤ照明灯は、請求項４に記載のように、プリント基板の下面全域はアルミニウム又はアルミニウム合金層が形成されて成るのが望ましい。
【００１７】
ＬＥＤ体やプリント基板の発熱が素早く保持体本体に伝播し、放熱効果を格段高めることができ、機器の長寿命化を図れるからである。
【図面の簡単な説明】
【００１８】
【図１】この考案に係るＬＥＤ照明灯の実施例を示し、ＬＥＤ照明灯の各構成部品を組み込んだ状態を示す端面図である。
【図２】使用状態を示す一部切り欠き外観図である。
【図３】ＬＥＤ照明灯の全体分解斜視図である。
【図４】入出力用端子台が組み込まれる側のエンドキャップを示し、（Ａ）は断面図、（Ｂ）は正面図、（Ｃ）は背面図である。
【図５】接続用端子台が組み込まれる側のエンドキャップ示し、（Ａ）は断面図、（Ｂ）は正面図、（Ｃ）は背面図である。
【図６】カバー体を示し、（Ａ）は断面図、（Ｂ）は一部を取り出して拡大表示した断面図を含む（Ａ）中Ａ−Ａ断面図である。
【図７】乱反射面の変形例を示す一部切り欠き斜視図である。
【図８】乱反射面の別の構成を示す断面図である。
【図９】保持体本体の断面図である。
【図１０】回動部材を示し、（Ａ）は正面図、（Ｂ）は背面図、（Ｃ）は側面図である。
【図１１】ＬＥＤ体が揺動する状態を表した作用の端面図である。
【図１２】別の使用例を示し、（Ａ）は接続具の断面図、（Ｂ）は使用状態の一部切り欠き外観図である。
【図１３】カバー体の変形例を示す一部切り欠き外観図である。
【考案を実施するための最良の形態】
【００１９】
以下、この考案に係るＬＥＤ照明灯を複数灯連結タイプに適用した場合の実施の形態を図１〜１３の記載に基づいて説明する。
なお、この種ＬＥＤ照明灯の使用にあたっては、照射方向が下方である場合が多いが、この考案では便宜上、上方向きで図示した状態で説明する。
【００２０】
この考案のＬＥＤ照明灯１、基本的には、図２、３に示すように、アルミダイキャスト製の細長で、四周に壁２を備える断面矩形の筒体からなる照明灯本体３、この照明灯本体３の長手方向両端の開口４を閉鎖する合成樹脂製のエンドキャップ５、このエンドキャップ５から上方へ一体に立ち上げた支え部材６、長手方向に沿って多数個のＬＥＤ体７が一列状に実装されたプリント基板８、この一列状に並ぶＬＥＤ体７の上方を覆う透光性のある、具体的には透明で保形性のある合成樹脂製のカバー体９、プリント基板８とカバー体９を保持してこれを前記支え部材６に連結する合成樹脂製の保持体１０、更には前記照明灯本体３内に収容されるＬＥＤ用電源基板１１、一方のエンドキャップ５Ａ内に組み込まれたＡＣ電源の入出力用端子台１２、他方のエンドキャップ５Ａ内に組み込まれた、他のＬＥＤ照明灯１３を接続するための接続用出力端子台１４とから構成される。
【００２１】
先ず照明灯本体３は、図３に示すように、上壁２Ａが、横幅方向の中央をやや下方へ凹入させて緩いアールを備えている。長手方向の両端は開放されて開口４が形成されている。図示されるものは、一方の開口から他方の開口までの全長が５００ｍｍ、左右幅２０ｍｍ、高さ２０ｍｍである。内部には、ポリカーボネイト製で照明灯本体３より一回り小ぶりの寸法を備えた基板用絶縁筒１５が挿抜自在に収容されている。この基板用絶縁筒１５は断面形状が矩形で、短尺筒体に形成され、その内部に前記ＬＥＤ用電源基板１１が挿入実装されている。尚、図３中１５Ａはこの基板用絶縁筒１５の両端の開口を閉鎖するための閉止板である。中央にリード線やコードを通すための開口が設けられている。
【００２２】
エンドキャップ５は左右共に基本的な構造は同じであるために、先ず共通部分の構造を、図３、４、５の記載に基づいて説明する。
先ず、全体形状、寸法は前記照明灯本体３と同じ外観形状を備えていて、一端側に前記照明灯本体３の開口４内へ嵌め込まれる嵌合部５Ａが一体に備わっている。この嵌合部５Ａは、言うまでもなくその外形寸法並びに形状は照明灯本体３の内径寸法並びに形状にほぼ合致させて設計されている。他端側には前記支え部材６が上方へ向かって一体に立ち上げられている。また、エンドキャップ５の、照明灯本体３の長手方向に直行する方向の外壁５Ｂの下部には矩形の貫通穴５Ｃが設けられている。ＡＣ１００Ｖ電源へのプラグ或いは他のＬＥＤ照明灯１３への接続具を挿入するためのものである。更に、前記嵌合部５Ａの底壁５Ｄの中央には三辺にスリット５Ｅが設けられ、残る一辺がこの底壁５Ｄに連なって、遊端を弾性的に上下動できるようにして係止突起５Ｆが一体に設けられている。前記照明灯本体３の底壁２Ｂに設けた係合穴２Ｃに嵌合してこの照明灯本体３からの抜け出しを阻止する。底壁５Ｄはこのエンドキャップ５の全域を覆う。また、上壁５Ｇ内面から一体にピン挿入筒５Ｈが垂下連設されると共に、底壁５Ｄ内面から係合ピン５Ｉが一体に立ち上げられいて、この係合ピン５Ｉを前記ピン挿入筒５Ｈに嵌合挿入することによって、相互の位置決めと組み付けを行えるように構成されている。図３中、５Ｌは位置決め用のリブである。
【００２３】
前記支え部材６の照明灯本体３の長手方向に直行する方向の内壁６Ｂの中央には、この支え部材６の内外に通じる、開口の一例である円孔１６が設けられている。また、この支え部材６の外壁６Ｃは無孔の板で覆われる。前記支え部材６は内部が空洞である。特に前記接続用端子台１４が組み込まれる側のエンドキャップ５の支え部材６の空間６Ｂは前記嵌合部５Ａの内部空間５Ｊに連なり、引き続き照明灯本体３の内部空間３Ａと連なっている。
【００２４】
次に、発光源としての多数個のＬＥＤ体７（つまり発光ダイオード）は、図１、３に示すように、剛性材料からなる細長いプリント基板８の上面中央に、その長手方向に沿って
所定間隔置きに一列に実装される。これら多数個のＬＥＤ体７は、すべて同一形状で、かつ同一大きさのものが用いられる。この考案ではチップ型が採用されている。更に具体的には、凹入型が採用されていて、光の出射範囲は、チップの中心線と最も水平線に近い出射光との挟角は約６０度で、全体としては１２０度の範囲で出射する。このＬＥＤ体７は、図例では、長差を縮めたり、一部切り欠いたりしているが、６６個が実装されているタイプのものを示した。ＬＥＤ体７間の間隔は隣り合うＬＥＤ体の中心同士でほぼ７〜８ｍｍに設定されている。尚、ＬＥＤ体７は図に示されるこのチップ型以外にも、砲弾型やその他何れの外観を呈するものであっても採用できる。
【００２５】
また、プリント基板８は、一例として長さ約５２０ｍｍ、横幅約１1 ｍｍ、厚さ約１〜１．２ｍｍの耐熱性の合成樹脂板から構成されている。また、図３に示すように、このプリント基板８の下面の左右辺縁に沿ってその長手方向の一端から他端に伸びる、前記ＬＥＤ用電源基板１１に備えられた電子部品で制御された電源を送るための一対の導電パターン１７が形成されている。また、このプリント基板８の下面全域には、例えばコーティングや蒸着などの手段によってアルミニウム層８Ａが形成されている。
【００２６】
カバー体９は、図２、３、特に図６（Ａ）、（Ｂ）  に示すように、プリント基板８の両側部からＬＥＤ体７の上方全域を覆うように、アーチ形の天井壁９Ａとその左右両側に連なる側壁９Ｂを備えて、断面形状が欧文字のＵ字形を呈している。左右側壁の外面間の横幅は約１1 ｍｍ、高さはほぼ１１ｍｍ、長さはほぼ５２０ｍｍ、厚さ約０．７〜０．８ｍｍの透明な合成樹脂製である。左右の両側壁９Ｂの下端には横外方へ張り出す鍔９Ｃと、その外縁から上方へ一体に立ち上げた係止リブ９Ｄとを一体に備えている。これら鍔９Ｃと係止リブ９Ｄとが後述する保持体１０の係止溝に嵌合して取り付け位置を保持するように構成されている。鍔９Ｃの外面間の寸法はほぼ１５ｍｍである。そして、このカバー体のアーチ形の天井壁９Ａとそれに引き続く左右の側壁９Ｂの内面には前記ＬＥＤ体７から出射される光をストレートに外部に放射するのを防止する乱反射面１８が形成されている。
【００２７】
この乱反射面１８は、図６（Ｂ）に示すように、多数がこのカバー体９の長手方向に沿って並設された凹溝１９群から構成される。この凹溝１９は、天井壁９Ａから左右の側壁９Ｂの下端縁に至る全長にわたって設けられている。またこの凹溝１９は、カバー体９の内面から外面に向かって、内面側がカバー体９の内方空間９Ｅに開放されるように凹入させて設けられる。そして、そのカバー体９の長手方向に沿った断面形状が欧文字Ｖ字形を呈している。この凹溝１９の左右の斜辺１９Ａは水平面に対してほぼ４５度の傾斜角を持たせて形成される。ＬＥＤ体７から出射される光の反射効率を効果的に高める上から有効である。ただし、望ましい範囲は３０度以上、５０度以下である。３０度を下回ったり、５０度を上回ってしまうと望ましい反射効率が得られない。すなわち多数一列状に並ぶＬＥＤ体７個々のから出射される光をカバー体９を通して見た際に、個々のＬＥＤ体７の出射光が一つ一つ独立することなく、一本の直線に見えるようにすることを達成できない。また、図に示されるように、側壁９Ｂの下端縁までこの凹溝１９を設けると、カバー体９の天井壁９Ａは言うに及ばず側壁９Ｂを含めて全体からＬＥＤ体７の出射光が放射される。ＬＥＤ体７からの出射光は方向性があり、一般にＬＥＤ体の構造にもよるがＬＥＤ体７の中心線から側方へ約３０〜６０度の範囲、全体では６０〜１２０度の範囲内である。したがって、蛍光管のように３６０度全域にわたって出射光を放射するものとは異なる。そのため、一般的には側方の明るさが正面に比べて暗い。しかし、前記のように凹溝１９を設けることによって、側面の暗さが解消され、好ましい照明効果が得られる。しかも、電源をオフにした不使用時においても、外部の光、例えば太陽光や他の光源からの光がカバー体９で乱反射し、カバー表面は銀色になり、併せて内部のＬＥＤ体７も見え難く、美観を保つことができる。
【００２８】
なお、この乱反射面１８は図示されるように、多数がこのカバー体９の長手方向に沿って並設された凹溝１９群から構成された、断面形状において斜辺の挟角が９０度、つまり直角三角形であるのが望ましいが、この構造に限定されるものではない。つまり、次善の策として、例えば、図７に示すように、カバー体９の長手方向に沿って一端から他端までの全長にわたって設けられた長尺な凹溝１９１であっても良い。乱反射面１８全体としては、凹凸が連なって波型のデコボコ面（図７に示される端面）が形成されることになる。この構造によると、ＬＥＤ体７からの出射光を一列状に認識するにはやや問題があるが、眩しさを軽減したり、側方の明るさを確保する上からは大変有効な手段である。また、図６に示される構造では、凹溝１９は天井壁９Ａから左右の側壁９Ｂの下端縁に至る全長にわたって設けられているが、図８に示すように、天井壁９Ａから左右の側壁９Ｂの上下方向の中程までで終わらせておく構造でも良い。更には、凹溝の断面形状も欧文字のＶ字形ではなく、半円状であっても良い。いずれの場合も、従来の透明カバー体に比べて、眩しさを軽減したり、側方の明るさを確保する上で大変有効である。以上の凹溝を設ける範囲や断面形状は前記長尺の凹溝１９１にも適用できることは言うまでもない。また、凹溝１９と同等の効果を得るには、凹溝１９に変えて、図示しないが、梨地であっても良い。何れの場合であっても、電源をオフにした不使用時においても、外部の光、例えば太陽光や他の光源からの光がカバー体９で乱反射し、カバー表面は銀色になり、併せて内部のＬＥＤ体７も見え難く、美観を保つことができることは言うまでもない。
【００２９】
次に保持体１０は、図３に示すように、プリント基板８の長手方向に沿った長尺で、上部と長手方向の両端が開放された凹形状を呈した保持体本体２０と、この保持体本体２０の長手方向の前記両端にそれぞれ接続され、前記プリント基板８の長手方向に沿った軸線Ｐの周りに揺動自在で、かつ、任意の揺動位置で位置保持自在に前記支え部材６に保持される回動部材２１を備えて成る。
【００３０】
保持体本体２０は、細長で、特に熱伝導性のあるアルミニウム或いはアルミニウム合金を素材にしたダイキャスト機によって製造さている。図９に示すように、底壁２０Ａが左右横幅方向の中央を下方へやや凹ませて部分円弧状に形成されている。その曲率は前記照明灯本体３の上壁３Ａのアール、つまり断面部分円弧形状とほぼ同じ率に形成される。また、この底壁２０Ａの左右両縁から上方へ一体に側壁２０Ｂが立ち上がり、断面形状がやや押し潰された欧文字のＵ字形を呈する。左右の側壁２０Ｂの内面同士の間隔は前記プリント基板８並びにカバー体９の横幅とほぼ同等かやや幅広な寸法に設定されている。つまり、ほぼ１４. ５〜１５. ５ｍｍ程度に設定される。また、左右の側壁２０Ｂの上縁は保持体１０の内側に直角に折れ曲がる内向きフランジ２０Ｃを備えている。更に、左右側壁２０Ｂの上下中間部には中底２０Ｄが、左右の側壁２０Ｂの内面に一体に連なって設けられている。そして、この中底２０Ｄの上面から前記内向きフランジ２０Ｃの下面迄の上下寸法Ｌが、前記プリント基板８の上下の肉厚と、前記カバー体９の鍔９Ｃの下面から前記係止リブ９Ｄの上面迄の寸法を合算した寸法とほぼ同等の寸法に設定されている。
【００３１】
従って、中底２０Ｄと内向きフランジ２０Ｃとの間にプリント基板８とカバー体９を重ねて嵌入すると、プリント基板８とカバー体９の係止リブ９Ｄは、共々に中底２０Ｄと内向きフランジ２０Ｃの下面との間でしっかりと挟持され、その取り付け姿勢が確保されることになる。このとき、プリント基板８の下面のアルミニウム層８Ａがこの保持体本体２０の中底２０Ｄの上面に接当する。
【００３２】
プリント基板８の下面は、コーティングや蒸着などの手段によってアルミニウム層８Ａが形成されていて、このアルミニウム層８Ａが中底２０Ｄにしっかりと接当しているので、ＬＥＤ体７やプリント基板８の発熱が素早く保持体２０に伝播し、放熱効果を格段高めることができ、ＬＥＤ体７やプリント基板８を早期の内に痛めてしまう欠点が解消され、長寿命化に貢献する。
【００３３】
そして、前記底壁２０Ａと中底２０Ｄとの間にこの保持体本体２０の全長にわたって形成される半月状の通し空間２０Ｅは、後述の保持体１０を構成するもう一つの部材である回転部材２１との接続のために用いられる。
【００３４】
次に回動部材２１は、図１０（Ａ）〜（Ｃ）  に示すように、前記保持体本体２０の前記半月状の通し空間２０Ｅに挿抜自在な連結片２１Ａと、この連結片２１Ａの前記支え部材６側端から上方へ一体に立ち上げた円盤体２１Ｂと、この円盤体２１Ｂの周方向に所定間隔を置いて前記支え部材６側へ突出する係止突起２１Ｃと、前記円盤体２１Ｂ中央に設けられた貫通穴２１Ｄとから構成される。前記貫通穴２１Ｄはプリント基板８の電源送り用の導電パターン１７を照明灯本体３内の前記ＬＥＤ電源用基板１１に接続するリード線２２（図３参照）を通すように構成されている。
【００３５】
円盤体２１Ｂは前記支え部材６の円孔１６の直径よりやや短な寸法の直径に形成されてこの円孔１６内に収まるように形成されている。つまり円盤体２１Ｂでこの円孔１６が塞がれる形になるように形成されている。そして円盤体２１は、この円孔１６内でこの円孔１６の中心軸、つまりはプリント基板８の長手方向に沿った前記軸線Ｐ（図３参照）を中心にして自在に回転できるように構成されている。特に前記貫通孔２１Ｄが円盤体２１Ｂの中心にある場合には、円盤体２１Ｂがこの円孔１６内で回転しても前記リード線２２は左右に振られる虞が少なく、不用意に損傷する虞がなく、長寿命化に大きく貢献する。尚、図中２１Ｆは支え部材で、円盤体２１Ｂの内壁側に一体に設けられて、前記カバー体９の上壁９Ａ内面を支える。また２１Ｇは、連結片２１Ａの上面突設された、この連結片２１Ａを補強するためのリブである。
【００３６】
次に、前記保持体１０を前記支え部材６に対して、前記プリント基板８の長手方向に沿った軸線Ｐ周りに揺動自在で、かつ、任意の揺動位置で位置保持可能に保持する保持構造２３について詳細に説明する。
この保持構造２３は、図３、５、特に図１０に示すように、前記回動部材２１、前記支え部材６、この支え部材６に設けた前記円孔１、この円孔１６の内縁に係脱自在に係止される前記円盤体２１Ｂ、更にはこの円盤体２１Ｂに設けた係止突起２１Ｃとからなり、この係止突起２１Ｃと前記円孔１６の内縁との摩擦力を利用して、前記保持体１０が前記支え部材６に対して前記軸線Ｐ（図３参照）周りに揺動自在で、かつ、任意の揺動位置で位置保持可能に保持されるようにしてある。更に具体的には以下のとおりである。
【００３７】
この円盤体２１Ｂの前記係止突起２１Ｃは周方向に等間隔で三か所設けられている。そして、この係止突起２１Ｃは前記支え部材６の円孔１６を設けた内壁６Ｂ（図５（Ａ）参照）の肉厚とほぼ同寸法の長さの突片２１Ｅの突出端から半径方向外方へ向かって一体に立ち上げられている。従って、この係止突起２１Ｅの頂点の円盤体２１Ｂの中心点からの距離は円孔１６の開口縁の円孔１６中心点からの距離よりもやや大きくなる。その結果、円孔１６にこの円盤体２１Ｂを嵌合させるには、前記三つの係止突起２１Ｃをこれを支える前記突片２１Ｅの弾性的な撓みを利用して円孔１６の中心側に偏倚させる必要がある。嵌合の後には、突片２１Ｅの弾性復元力によって各係止突起２１Ｃは円孔１６の開口縁の裏側に位置して、この円盤体２１Ｂが円孔１６から不用意に離脱するのを防止するように機能する。また、この係止突起２１Ｃの内の一つは丁度この円盤体２１Ｂの頂点に相当する部位に設けられる。
【００３８】
また、この連結片２１Ａの背面は支え部材６の前記円孔１６の開口縁より下方の内壁６Ｂに当接されるように構成されているために、円盤体２１Ｂを円孔１６内に嵌め込むと、この連結片２１Ａと前記下方二つの係止突起２１Ｃとの間で円孔１６の開口縁を弾性的に挟持する結果となる。そのために、円盤体２１Ｂ、これに連なる保持体本体２０も共に、
適宜角度揺動した後にも、その揺動位置が上手く保たれる。
【００３９】
また、前記連結片２１Ａは円盤体２１Ｂの四分の１円周分の範囲で、この円盤体２１Ｂの下縁部分下に一体に延設されている。従って、この連結片２１Ａの背面は支え部材６側に面し、かつ、円盤体２１Ｂが円孔１６に嵌合されたときには、支え部材６の前記円孔１６の開口縁より下方の内壁６Ｂに当接されるように構成されている。そして、この連結片２１Ａの背部、つまりは前記支え部材６の内壁６Ｂ側に面する部位で、左右幅の中間部分にこの支え部材６側に向けて突起２１Ｂ１が突設されている。また、前記内壁６Ａの円孔１６の縁に沿って、下部ほぼ三分の一周分に相当する範囲に円孔１６側へ落ち込む段部６Ｄが形成されていて、ここに前記突起２１Ｂ１を嵌め込めるように構成されている。この段部６Ｄと前記突起２１Ｂ１とによって、円盤体２１Ｂは前記円孔１６の中心軸、つまりはプリント基板８の長手方向に沿った前記軸線Ｐを中心にして段部６Ｃの範囲内で、左右にそれぞれほぼ９０度ほど（図１１に示す例ではほぼ８８度）揺動できる。しかし、揺動の最終工程では、前記段部６Ｄのエンド壁６Ｄ１に前記突起２１Ｂ１が突き当たるので、それ以上の揺動が阻止される。
【００４０】
また、前記照明灯本体３の上壁２Ａの上面と前記保持体本体２０の底壁２０Ａの下面との間には、図１、１１に示すように、この保持体本体２０の左右の揺動を円滑に司れるように、僅かな隙間２４、概ね０．２〜０．５ｍｍ程、が存在するように構成されている。この隙間２４の存在によって、プリント基板８延いてはＬＥＤ体７が照明灯本体３内に収容されているＬＥＤ用電源基板１１の発熱の直接的な影響を受ける虞が少なくなる。したがって、従来品の照明灯本体にプリント基板を直付けした形式のものと違って、ＬＥＤ体７を早期の内に痛めてしまう欠点が解消され、長寿命化に貢献する。併せて、アルミニウムを素材にして構成されている保持体本体２０からの放熱も効果的に発揮できるのである。
【００４１】
次に、入出力用端子台１２は、図３、４に示すように、天板１２Ａと後ろ壁１２Ｂと底壁１２Ｃから構成される欧文字の横向きＵ字形の台枠１２Ｄと、後ろ壁１２Ｂに左右適宜の間隔をおいて一対の電極ピン１２Ｅが一体的に設けられる。この入力用端子台１２は前記エンドキャップ５の嵌合部５Ａ内に、前記電極ピン１２Ｅを前記貫通穴５Ｃ側に面するようにして収納される。ここには、ＡＣ１００Ｖ電源に接続された電気コード２５のプラグ２６が差し込まれる。前記電極ピン１２Ｅはそれぞれリード線２７を介して前記ＬＥＤ用電源基板１１の一端に電気的に接続される。他端からは前記リード線２２が延出されている。このリード線２２は照明灯本体３の内部空間３Ａから嵌合部５Ａ内の空間５Ｊ、更には前記支え部材６は内部の空間６Ａを通り、前記円盤体２１Ｂの貫通穴２１Ｄを通って前記プリント基板８の導電パターン１７に電気的に接続されている。
【００４２】
また、接続用端子台１４は、図３、５に示すように、前記入力用端子台１２と同様に、天板１４Ａと後ろ壁１４Ｂと底壁１４Ｃから構成される欧文字の横向きＵ字形の台枠１４Ｄと、後ろ壁１４Ｂに左右適宜の間隔をおいて一対の電極ピン１４Ｅが一体的に設けられる。この接続用端子台１４は前記エンドキャップ５の嵌合部５Ａ内に、前記電極ピン１４Ｅを前記貫通穴５Ｃ側に面するようにして収納される。これらの電極ピン１４Ｅには前記ＬＥＤ用電源基板１１から分岐されたＡＣ１００Ｖ電源に接続されるコード２８が接続されている。そして、この電極ピン１４Ｅには、図２に示すように、次に隣り合って接続される別のＬＥＤ照明灯照明灯１３へ給電するための接続コード或いは接続具２９が接続される（図２参照）。尚、図５中、符号３０で示される部品は、これら電極ピン１４Ｅの周囲を囲繞するようにして前記後ろ壁１４Ｂから一体に突設されたブロック体である。前記ＡＣ１００Ｖの電源差込み側と間違わないようにするためである。
【００４３】
また、図２では接続コード２９が接続された例を示しているが、図１２の（Ａ）に示す
ように、接続具３１で、前記接続用端子台１４がセットされるエンドキャップ５と別のＬＥＤ照明灯１３の入出力用端子台１２がセットされるエンドキャップ５とを直に接続することもできる。この接続具３１は、中間から一方が、前記ブロック体３０に嵌合できる凹入部３１Ａを備え、他方がブロック体３１Ｂに構成されて、別のＬＥＤ照明灯１３の入出力用端子台１２に嵌入するように構成されている。接続ピン３１Ｃは前記凹入部３１Ａからブロック体３１Ｂにわたって左右一対設けられている。
【００４４】
この接続具を用いると、図１２（Ｂ）に示すように、前記接続用端子台１４がセットされるエンドキャップ５と別のＬＥＤ照明灯１３の入出力用端子台１２がセットされるエンドキャップ５とが互いに密着した状態で接続でき、多数本のＬＥＤ照明灯１を一本の直列した照明体として得ることができる。
【００４５】
以上のように構成された実施形態のＬＥＤ照明灯１は、次のような効果が得られる。
すなわち、ＬＥＤ体７を覆うカバー体９はＬＥＤ体から出射される光をその内面で乱反射させるように凹溝１９を設けて構成されているので、従来の透明カバーを被せたものと違って、ＬＥＤ体７の一つ一つが点となって認識されず、一本の直線に見えるようになり、併せて眩しさを軽減できる。しかも、電源をオフにした不使用時においても、外部の光、例えば太陽光や他の光源からの光がカバー体９で乱反射し、カバー表面は銀色になり、併せて内部のＬＥＤ体７も見え難く、美観を保つことができる。
【００４６】
ＬＥＤ体７の向きを、ＬＥＤ照明灯１を陳列棚やショーウィンドー等に取り付けた後においても、その出射方向を、図１１に示すように、所定範囲内で自在に変更できるから、従来の一方向のみにしか出射出来なかったものと比べて、多彩な照明効果を期待できる。すなわち、ＬＥＤ体が、図１１中実線で示される、所謂定位置にある時は、その出射範囲は、先にも記したように、１２０度範囲に止まる。しかし、この考案では、左右に揺動できるために、例えば、右或いは左一杯に揺動した場合、その出射方向の最下部は、図１に示すように、丁度ＬＥＤ体中心と照明灯本体３の上壁２Ａの側壁との会合点、つまりは上のコーナー部を結んだ線分の延長線上に至る広範囲（図中、出射範囲と表示される範囲）にわたって出射でき、この範囲内においては、何れの箇所をも出射できることになる。その結果、従来のＬＥＤ体が固定的に設けられている機種に比べて、はるかに効率の良い、バラエティーに富む照明効果が得られる。
【００４７】
照明灯本体３の上壁２Ａの上面とプリント基板８を保持する保持体本体２０の下面との間に、図１、１１に示すように、積極的に隙間２４を設けることによって、保持体１０の揺動がスムーズに行われることは言うに及ばず、プリント基板８延いてはＬＥＤ体７が照明灯本体３内に収容されているＬＥＤ用電源基板１１の発熱の直接的な影響を受ける虞が少なくなる。また、プリント基板８の下面は、コーティングや蒸着などの手段によってアルミニウム層８Ａが形成されているために、ＬＥＤ体７やプリント基板８の発熱が素早く保持体２０に伝播し、放熱効果を格段高めることができ、併せてアルミニウムを素材にして構成されている保持体本体２０からの放熱も効果的に発揮できる。したがって、従来品の照明灯本体にプリント基板を直付けした形式のものと違って、ＬＥＤ体７やプリント基板８を早期の内に痛めてしまう欠点が解消され、長寿命化に貢献する。
【００４８】
保持体１０に対するプリント基板８、カバー体９の取り付け並びに保持体本体２０と円盤体２１Ａとの接続が、保持体本体２０に設けられた内向きフランジ２０Ｃ、中底２０Ｄそして通し空間２０Ｅへの差込みで行われるので、加工、組み付け作業が簡単で廉価に提供できる。併せて保持体本体２０一つでプリント基板８とカバー体９の保持を担い、またこれらプリント基板８とカバー体９を照明灯本体３の支え部材６に連結する接続具も一挙に兼ねるので、構成が簡単で、廉価に提供できる。また、プリント基板８の下面全域を覆うことになるので、安全面上、また、プリント基板８の保護上有利で、強度も保つことが
できる。
【００４９】
以上に示したこの考案に係るＬＥＤ照明灯は、陳列棚やショーウィンドーの照明用に適用されるに止まらず、各種看板材、あるいは一般の照明器具など、この考案を必要とする分野へ適用できることは言うまでもない。また、前記カバー体９は、図１３に示すように、断面形状を下方開放の角型、つまり水平な天井壁９Ａとその左右から一体に、直角に垂下される左右壁９Ｂとから形成することもできる。この場合は、特にＬＥＤ体７（図外）としてチップタイプのものを採用した際に、全体の嵩を一段と低くでき、よりコンパクトに構成できる。内面の凹溝１９は天井壁９Ａから左右壁９Ｂの全域にわたって設けられていることは言うまでもない。照明効果を高めるためである。
【符号の説明】
【００５０】
１…ＬＥＤ照明灯
２Ａ…上壁
３…照明灯本体
４…開口
５…エンドキャップ
５Ｃ…貫通穴
６…支え部材
６Ｄ…段部
６Ｄ１…エンド壁
７…ＬＥＤ体
８…プリント基板
９…カバー体
１０…保持体
１１…ＬＥＤ用電源基板
１６…円孔
１８…乱反射面
１９…凹溝
２０…保持体本体
２０Ａ…底壁
２０Ｂ…左右側壁
２０Ｃ…内向きフランジ
２０Ｄ…中底
２０Ｅ…通し空間
２１…回動部材
２１Ａ…連結片
２１Ｂ…円盤体
２３…保持構造
２４…隙間
【先行技術文献】
【特許文献】
【００５１】
【特許文献１】特開２００２−１４０９０１号公報
【特許文献２】特開２００４−６３２３７号公報
【図１】
0003169012.tif 000003
【図２】
0003169012.tif 000004
【図３】
0003169012.tif 000005
【図４】
0003169012.tif 000006
【図５】
0003169012.tif 000007
【図６】
0003169012.tif 000008
【図７】
0003169012.tif 000009
【図８】
0003169012.tif 000010
【図９】
0003169012.tif 000011
【図１０】
0003169012.tif 000012
【図１１】
0003169012.tif 000013
【図１２】
0003169012.tif 000014
【図１３】
0003169012.tif 000015